(57)【要約】【課題】  簡易な構造で、小型化が可能であり、確実な施錠が可能となる引戸施錠装置を提供する。【解決手段】  鉛直方向に移動可能に構成されている操作板３４と、当該操作板３４と鎌部材３１を連動させる第１リンク部材３２とを備え、錠箱２０の側板には、鎌部材案内長孔２２ｄと、第１リンク横長孔２２ａが設けられ、鎌部材３１の後端部及び第１リンク部材３２の錠前受具Ｕ側の端部が、第１リンク横長孔２２ａにおいて、連動してスライド自在に支承されている引戸施錠装置Ｓとした。【選択図】  図３
2020056187.tif 000002
【特許請求の範囲】
【請求項１】
引戸用錠前と、引戸枠に配置される錠前受具と、を有し、
前記引戸用錠前の筐体内に回動可能に軸支した鎌部材を、回動させることにより出没自在とし、前記錠前受具の係止部に掛止可能となるように構成されている引戸施錠装置において、
前記引戸用錠前は、
鉛直方向に移動可能に構成されている操作部材と、
前記操作部材と前記鎌部材を連動させる第１リンク部材と、を備え、
前記筐体の側板には、鎌部材案内長孔又は鎌部材案内長溝と、第１リンク部材横方向案内長孔又は第１リンク部材横方向案内長溝と、が設けられ、
前記第１リンク部材横方向案内長孔又は前記第１リンク部材横方向案内長溝は、前記係止部側において下方向に傾斜している先端傾斜部と、前記先端傾斜部に接続し、前記先端傾斜部の角度と比較して傾斜度が小さい横方向部とから形成されているとともに、
前記鎌部材の支軸は、前記鎌部材案内長孔又は前記鎌部材案内長溝にスライド自在に挿通されており、
前記鎌部材の後端部及び前記第１リンク部材の前記錠前受具側の端部が、前記第１リンク部材横方向案内長孔又は前記第１リンク部材横方向案内長溝において、連動してスライド自在に支承され、かつ、
前記第１リンク部材の後端部が前記操作部材に支承されていることを特徴とする引戸施錠装置。
【請求項２】
前記筐体の側板には、第１リンク部材鉛直方向案内長孔又は第１リンク部材鉛直方向案内長溝が設けられ、
前記第１リンク部材の後端部及び前記操作部材が、前記第１リンク部材鉛直方向案内長孔又は前記第１リンク部材鉛直方向案内長溝において、連動してスライド自在に支承されていることを特徴とする請求項１に記載の引戸施錠装置。
【請求項３】
前記操作部材と連動する第２リンク部材を備えること、を特徴とする請求項１又は請求項２に記載の引戸施錠装置。
【請求項４】
請求項３に記載の引戸施錠装置を備え、
前記引戸用錠前が取り付けられている引戸本体と、
前記引戸本体の下端部に設けられている閉塞部材と、
前記引戸施錠装置の前記第２リンク部材と連動する、前記前記閉塞部材の昇降機構と、を備えること、を特徴とする引戸。
【請求項５】
前記閉塞部材の昇降機構は、
前記第２リンク部材の動作に追従するロッド部材と、
支持枠と、前記支持枠に揺動自在に支持されている揺動体と、前記揺動体の一端部が取り付けられており、底部に前記閉塞部材が設けられている可動体とを備え、
前記揺動体の他端部は、前記支持枠から出没自在であり、
前記揺動体の他端部は、前記ロッド部材の底面部と当接可能となるように構成されていることを特徴とする請求項４に記載の引戸。
【発明の詳細な説明】
【技術分野】
【０００１】
本発明は、引戸に用いられる施錠装置及び当該施錠装置を備える引戸に関する。
【背景技術】
【０００２】
引戸は、各種の施設（例えば、病室の出入口等）に使用されており、より簡易な構造の施錠装置を有するタイプが求められている。例えば、従来の施錠装置としては、下記の構造が知られている。
【０００３】
すなわち、鎌錠本体内部の後部側に当該鎌錠本体が延在する方向と直交する方向に揺動可能に枢支される所定長さであって前方側に第１長孔を、中央側に第２長孔を有する揺動リンク部材と、上記鎌錠本体の前部側に施錠位置と開錠位置の間を揺動するように枢支された所定長さを有し且つ当該枢支位置より後方位置で当該揺動リンク部材の第１長孔と互いが回動自在となるように連結する鎌が上向きの鎌部材と、上記鎌錠本体の後部側に該鎌錠本体が延在する方向と直交する方向に直線移動するように配置され且つ上方位置で当該揺動リンク部材の第２長孔と互いが回動自在となるように連結する所定長さの操作部材、の各部材を備える鎌錠本体と、上記操作部材を作動させる引戸の側面に設置される操作手段と、を備える施錠装置である（特許文献１）。
【先行技術文献】
【特許文献】
【０００４】
【特許文献１】特開２００８−１２７７４３号公報
【発明の概要】
【発明が解決しようとする課題】
【０００５】
ところで、近年はニーズの多様化に伴い、遮音性、遮蔽性が求められるタイプの引戸が求められる場合も多い。このような引戸には、遮音性等を確保するために、間隙部にパッキン等の気密材が設けられている。しかし、上記施錠装置では、気密材の抵抗により、確実な施錠が難しいという問題が生じていた。
【０００６】
本発明は、上記各問題点を解決するためになされたものであり、簡易な構造で、小型化が可能であり、確実な施錠が可能となる引戸施錠装置及び当該引戸施錠装置を備える引戸を提供することを目的としている。
【課題を解決するための手段】
【０００７】
上記目的を達成するために、本発明は、引戸用錠前と、引戸枠に配置される錠前受具と、を有し、上記引戸用錠前の筐体内に回動可能に軸支した鎌部材を、回動させることにより出没自在とし、上記錠前受具の係止部に掛止可能となるように構成されている引戸施錠装置において、上記引戸用錠前は、鉛直方向に移動可能に構成されている操作部材と、上記操作部材と上記鎌部材を連動させる第１リンク部材と、を備え、上記筐体の側板には、鎌部材案内長孔又は鎌部材案内長溝（以下、両者を「鎌部材案内長孔等」という場合がある。）と、第１リンク部材横方向案内長孔又は第１リンク部材横方向案内長溝（以下、両者を「第１リンク部材横長孔等」という場合がある。）と、が設けられ、上記第１リンク部材横長孔等は、上記係止部側において下方向に傾斜している先端傾斜部と、上記先端傾斜部に接続し、上記先端傾斜部の角度と比較して傾斜度が小さい横方向部とから形成されているとともに、上記鎌部材の支軸は、上記鎌部材案内長孔等にスライド自在に挿通されており、上記鎌部材の後端部及び上記第１リンク部材の上記錠前受具側の端部が、上記第１リンク部材横長孔等において、連動してスライド自在に支承され、かつ、上記第１リンク部材の後端部が上記操作部材に支承されていることを特徴とする引戸施錠装置を提供するものである。
【０００８】
ここで、第１リンク部材横長孔等は、係止部側（引戸枠側）において、斜め下方向に傾斜している先端傾斜部と、当該先端傾斜部に接続する横方向部から形成されているが、先端傾斜部及び横方向部の傾斜角度は、後記するように鎌部材の形状と、鎌部材の引き寄せ長さに応じて、適切に定めることができる。
また、横方向部は、先端傾斜部の角度と比較して、傾斜度が小さい（プラス［斜め上方に傾斜している場合］及びマイナス［斜め下方に傾斜している場合］の角度を問わず、また、完全に水平［角度はゼロ度に相当する］である場合も含む）ものであればよい。
【０００９】
鎌部材案内長孔等と第１リンク部材横長孔等は、それぞれ、長孔及び長溝のいずれであってもよく、適宜、長孔と長溝を組合せて使用するものであってもよい。また、各長孔及び長溝の位置及び形状は適宜に定めることが可能である。
【００１０】
本発明の引戸施錠装置（以下、「本引戸施錠装置」という場合がある。）によれば、鎌部材と、第１リンク部材と、上下方向に移動可能に構成されている操作部材を基本的な構成部材としているため、簡易な構造で、小型化を実現することが可能となる。そのため、引戸の厚さを薄くでき、デザイン的に優れた構造とすることができる。
【００１１】
また、第１リンク部材横長孔等は、係止部側において下方向に傾斜している先端傾斜部と、先端傾斜部に接続する横方向部から形成されており、鎌部材の後端部及び第１リンク部材の係止部側の端部が、当該第１リンク部材横長孔等において、連動してスライド自在に支承されている。そのため、支承されている各部材の端部が、先端傾斜部の先端に移動することにより、鎌部材が、筐体から突出して、錠前受具の係止部に係止するにあたり、当該筐体方向に向かって回転運動することにより、本引戸施錠装置が取り付けられている引戸本体を引戸枠側に引き寄せる動作を行わせることが可能となる。よって、気密材等が設けられている引戸であっても、確実に施錠が可能となる。
【００１２】
本発明では、筐体の側板に各長孔又は各長溝が形成されており、鎌部材、第１リンク部材及び第２リンク部材等に、長孔又は長溝が設けられていないことから、部材の形状の複雑化、大型化及び強度低下等を防止することが可能となる。
【００１３】
また、本引戸施錠装置において、上記筐体の側板には、第１リンク部材鉛直方向案内長孔又は第１リンク部材鉛直方向案内長溝（以下、「第１リンク部材鉛直長孔等」という場合がある。）が設けられ、上記第１リンク部材の後端部及び上記操作部材が、上記第１リンク部材鉛直長孔等において、スライド自在に一体的に支承されている構成とすることが好適である。
【００１４】
また、本発明によれば、筐体の側板には、第１リンク部材鉛直長孔等が設けられ、第１リンク部材の後端部及び操作部材が、当該第１リンク部材鉛直長孔等においてがスライド自在に、一体的に支承されていることから、円滑かつ確実にリンク機構が動作することになる。
【００１５】
また、本引戸施錠装置において、上記操作部材と連動する第２リンク部材を備える構成とすることにより、後記のように、第２リンク部材を介して、操作部材と上記引戸の閉塞部材の昇降機構とを連動させることが可能である本引戸施錠装置とすることができる。
【００１６】
ここで、閉塞部材は、引戸とその下部空間を閉塞されるために設けられるための部材であり、遮音性能、気密性能、遮蔽性能等を有することが更に好ましいが、その材質、名称等を問うものではない。
【００１７】
また、本引戸施錠装置おいて、上記筐体の側板には、操作部材案内鉛直方向長孔又は操作部材案内鉛直方向長溝（以下、「操作部材鉛直長孔等」という。）と、第２リンク部材鉛直方向案内長孔又は第２リンク部材鉛直方向案内長孔溝（以下、「第２リンク部材鉛直長孔等」という。）と、が設けられ、上記操作部材及び上記第２リンク部材の上記錠前受部側の端部が、上記操作部材鉛長孔等において、連動してスライド自在に支承されており、かつ、上記第２リンク部材の他端部は、上記第２リンク部材鉛直長孔等において、上記引戸の閉塞部材の昇降機構の操作部材に取り付けられている構成とすることにより、円滑かつ確実にリンク機構を動作させることが可能となるため、更に好適である。
【００１８】
また、本発明は、上記引戸施錠装置を備え、上記引戸用錠前が取り付けられている引戸本体と、上記引戸本体の下端部に設けられている閉塞部材と、上記引戸施錠装置の前記第２リンク部材と連動する、上記閉塞部材の昇降機構と、を備えることを特徴とする引戸を提供とするものである。
【００１９】
本発明の引戸（以下、「本引戸」という場合がある。）によれば、引戸本体の下端部に閉塞部材が設けられており、第２リンク部材を介して、操作部材と連動する閉塞部材の昇降機構とを備えていることから、操作性に優れた、遮音及び遮蔽等の性能を有する引戸を実現することが可能となる。
【００２０】
さらに、本引戸において、上記閉塞部材の昇降機構は、上記第２リンク部材の動作に追従するロッド部材と、支持枠と、上記支持枠に揺動自在に支持されている揺動体と、上記揺動体の一端部が取り付けられており、底部に上記閉塞部材が設けられている可動体とを備え、上記揺動体の他端部は、上記支持枠から出没自在であり、上記揺動体の他端部は、上記ロッド部材の底面部と当接可能となるように構成され、上記揺動体の他端部と上記ロッド部材の底面部との当接及びその解除と連動して、上記支持枠が昇降することができるように構成することにより、上記作用効果を容易に実現可能となる。
【発明の効果】
【００２１】
本発明によれば、簡易な構造で、小型化が可能であり、確実な施錠が可能となる引戸施錠装置及び当該引戸施錠装置を備える引戸を提供することができる。
【図面の簡単な説明】
【００２２】
【図１】（ａ）は，本発明の引戸を示す側面図であり、（ｂ）は、Ｘ部における引戸用錠前の斜視図であり、（ｃ）は、Ｘ部における錠前受具の斜視図である。
【図２】本発明の引戸施錠装置を示す側面図である。
【図３】本発明の引戸施錠装置の錠箱の内部構造を示す側面図である。
【図４】本発明の引戸におけるシャッター装置の一部を示す斜視図である。
【図５】本発明の引戸におけるシャッター装置の昇降機構を示す斜視図である。
【図６】本発明の引戸施錠装置の動作を示す側面図であり、（ａ）は、開扉時、（ｂ）は、施錠開始時である。
【図７】本発明の引戸施錠装置の動作を示す側面図であり、（ａ）は、施錠時、（ｂ）は、施錠完了時である。
【図８】本発明のシャッター装置及びその昇降機構の上昇時を示す側面図である。
【図９】本発明のシャッター装置及びその昇降機構の降下時を示す側面図である。
【発明を実施するための形態】
【００２３】
以下、図面を参照しつつ、本引戸Ｄ及び本引戸施錠装置Ｓの一実施形態について詳細に説明する。なお、図面に基づく説明においては、同一要素には同一符号を付し、重複する説明を省略する。
【００２４】
（１）本引戸の構成
本引戸Ｄは、引戸本体Ｈと、当該引戸本体Ｈの下端部に設けられているシャッター装置Ｔを有している。引戸本体Ｈは、戸枠５の上枠５ａに延設されている引戸レール（図示せず）に沿って、水平方向にスライド自在に吊設されている。
【００２５】
引戸本体Ｈの略中間高さの位置には、戸先側の端部に、引戸用錠前Ｊが取り付けられている。戸枠５の縦枠５ｂの戸当り面には、錠箱２０に対向して、錠前受具Ｕが設けられている。また、縦枠５ｂの戸当たり面は、凹部となっており、鉛直方向の両側面には、気密材６が設けられ、遮蔽性等が確保されている（図１）。
【００２６】
錠箱２０は、支持枠（図示せず）に取り付けられた状態で、引戸本体Ｈに取り付けられており、引戸用錠前Ｊの後記操作板の操作部７１は、引戸本体Ｈの室内側に設けられている。なお、上記操作部７１の下部には、引手７２が設けられている。
【００２７】
引戸本体Ｈの下側底部には、当該引戸本体Ｈの全体長さにわたり、後記シャッター装置Ｔが取り付けられている。このシャッター装置Ｔは、本引戸施錠装置Ｓと連動する後記昇降機構５０を介して、操作可能となっている。
【００２８】
［引戸施錠装置］
本引戸施錠装置Ｓは、錠前受具Ｕと引戸用錠前Ｊを主要部として構成されている。
【００２９】
＜錠前受具＞
戸枠５の縦枠５ｂの戸当り面には、錠箱２０に対向して、錠前受具Ｕが取り付けられている。錠前受具Ｕは、ストライク１１と、当該ストライク１１が内装され、鎌部材３１を受け入れる空間部を有する本体部１２から構成されている。
【００３０】
本体部１２は、前面が開口しており、上下の端部において、縦枠５ｂの戸当たり面にネジ止めされている。また、ストライク１１の上部における本体部１２の開口の内側縁には、後記引戸用錠前Ｊの鎌部材３１の係止部（以下、「ストライク係止部１１ａ」という。）が形成されており、当該ストライク係止部１１ａに、鎌部材３１のアーム部３１ａの先端が掛止可能となっている。
【００３１】
＜引戸用錠前＞
本引戸用錠前Ｊは、鎌部材３１と、第１リンク部材３２と、第２リンク部材３３と、操作板３４（操作部材）と、トリガー３５を主要部としており、各部材は、錠箱２０に収納されている。また、本引戸用錠前Ｊには、後記シャッター装置Ｔの昇降機構５０の一部を構成するスライドピース５１が、錠箱２０の後端部からその一部が突出するように取り付けられている（図２）。
【００３２】
（錠箱）
錠箱２０は、一面が開放されている変形六画形状の薄厚である箱本体２１と、開放部を塞ぐ細長形状であるフロント２５により、組み立てられている。この錠箱は、フロント２５（以下、フロント２５から離反する方向を「後方」（取付時には、戸尻側となる）という。）の側の長方形部２１ａと、後方側の台形部２１ｂから形成されている。
【００３３】
フロント２５は、箱本体２１の前面（取付時には、戸先側となる）に設けられており、上下に突出している端部がネジにより引戸本体Ｈに取り付けられ、端面開口部が閉塞されている。このフロント２５の下部には、鎌部材出没孔２５ａが、上部には、トリガー孔２５ｂが、それぞれ形成されている（図１（ｂ））。
【００３４】
箱本体２１を構成する２枚の側板２２Ａ，２２Ｂにおいて、フロント２５に近接する位置の下方には、略へ字形状である第１リンク横長孔２２ａ（第１リンク部材横方向案内長孔）が形成され、その斜め上方の水平方向において、鎌部材案内長孔２２ｄが、略平行となるように並設されている。第１リンク横長孔２２ａは、フロント２５側に下側に傾斜している先端傾斜部２２ｂと、僅かに斜め上方に傾斜している後方の横方向部２２ｃから形成されており、先端傾斜部２２ｂの角度と比較して、横方向部２２ｃの傾斜度が小さくなっている。
【００３５】
錠箱２０の長方形部２１ａの後端部分には、鉛直方向の略全体の位置において、操作板鉛直長孔２２ｅ（操作板鉛直方向案内長孔）が形成されている。また、操作板鉛直長孔２２ｅの前方下部には、同じく鉛直方向における略半分の高さ位置において、第１鉛直長孔２２ｆ（第１リンク部材鉛直方向案内長孔）が形成されている。さらに、錠本体２１の他方の側板２２Ｂ（図３における奥行側）における台形部２１ｂの後端部分には、鉛直方向の略全体の位置において、第２鉛直長孔２２ｇが形成されている。
【００３６】
（錠箱の内部構造）
上記のとおり、本引戸用錠前Ｊの施錠機構は、鎌部材３１と、第１リンク部材３２と、第２リンク部材３３と、操作板３４と、トリガー３５を主要部として構成されることになる（図３）。
【００３７】
鎌部材３１は、略円弧面を有する錨状に形成されており、回転中心である支軸３１ｂが鎌部材案内長孔２２ｄにスライド自在かつ揺動自在に支承されており、前面側のアーム部３１ａが、フロント２５の鎌部材出没孔２５ａから出没し、ストライク係止部１１ａに係止可能となっている。また、鎌部材３１の後端部には、円孔３１ｃが形成されている。
【００３８】
錠箱２０のフロント２５側の上端部には、トリガー孔２５ｂから先端部が突出するように、トリガー３５が設けられている。トリガー３５は、内挿されているトリガーばね３７により、先端部が突出する向きに常時付勢されている。トリガー３５は、ピストル形状であり、鉛直部には、鉤状に形成されている操作板３４との係合部（以下、「被操作板係合部３５ａ」という。）が形成されている。
【００３９】
操作板３４は、略L字形を折り返した形状の部材であり、鉛直部３４ｂと、水平部３４ｃと、トリガー３５との係合部（以下、「被トリガー係合部３４ａ」という。）から形成されている。被トリガー係合部３４ａは、被操作板係合部３５ａと対称形状となるように、フロント２５側に形成されている。
【００４０】
操作板３４における被トリガー係合部３４ａの横側には、Ｖ字形状のトーションばね３６が設けられている。トーションばね３６は、一方のアーム部の先端が箱本体２１を構成する両側板２２Ａ，２２Ｂに取り付けられるとともに、他方のアーム部の先端が、操作板３４の被トリガー係合部３４ａに取り付けられている。トーションバネ３６は、中央の捲回部を中心として外側に広がる方向に、常時、付勢力が作用するように構成されている（図６（ａ））。上記構成により、トリガー３５の先端部がフロント２５から突出した状態において、被トリガー係合部３４ａに上向きの付勢力が作用することで、被操作板係合部３５ａと被トリガー係合部３４ａとの係合状態が保持されるようになっている。
【００４１】
また、操作板３４の鉛直部３４ｂの略中間の高さ位置には、第１円孔３４ｄが形成され、水平部３４ｃ方向の略中間部の位置には、第２円孔３４ｅが形成されている。
【００４２】
第１リンク部材３２は、鎌部材３１と操作板３４を両端の支承部でつなぐための部材であり、両端部に円孔３２ａ，３２ｂを有している。そして、第１リンク横長孔２２ａの部分において、鎌部材３１の後端部の円孔３１ｃ及び第１リンク部材３２の前端部（ストライク係止部１１ａ側の端部）の円孔３２ａにピン部材３８が挿設されることにより、鎌部材３１と第１リンク部材３２が、当該第１リンク横長孔２２ａに沿って、連動してスライド自在となるように一体的に支承されている。
【００４３】
また、第１鉛直長孔２２ｆの部分において、第１リンク部材３２の後端部の円孔３２ｂ及び操作板３４の第２円孔３４ｅにピン部材３８が挿設されることにより、第１リンク部材３２と操作板３４が、当該第１鉛直長孔２２ｆに沿って、連動してスライド自在となるように一体的に支承されている。
【００４４】
第２リンク部材３３は、操作板３４とスライドピース５１を両端の支承部でつなぐための部材であり、一端部に長孔３３ａが、他端部に円孔３３ｂがそれぞれ形成されている。一方、スライドピース５１は、矩形形状であり、第２リンク部材３３との支承部である略凸字状の段部５１ａが形成され、当該係合段部の略中央部にはＬ字孔５１ｂが形成されている。
【００４５】
そして、操作板鉛直長孔２２ｅの部分において、操作板３４の第１円孔３４ｄ及び第２リンク部材３３の長孔３３ａにピン部材３８が挿設されることにより、操作板３４と第２リンク部材３３が、連動してスライド自在となるように、一体的に支承されている。また、第２鉛直長孔２２ｇの部分において、第２リンク部材３３の円孔３３ｂ及びスライドピース５１のＬ字孔５１ｂにピン部材３８が挿設されることにより、第２リンク部材３３とスライドピース５１が、当該第２鉛直長孔２２ｇに沿ってスライド自在に一体的に支承されている。
【００４６】
［シャッター装置］
引戸本体Ｈの下側底部に取り付けられているシャッター装置Ｔは、支持枠６１と、可動枠６３と、当該可動枠６３の下面に延設されている気密材６５（閉塞部材）を備えている。シャッター装置Ｔは、本引戸施錠装置Ｓと連動する後記昇降機構５０を介して、操作可能となっている。
【００４７】
図４に示すように、支持枠６１は、門型形状（断面視）の長尺部材であり（同図では、説明の便宜上、片側の部材を記載していない）、引戸本体Ｈの下側にネジにより取り付けられている。この支持枠６１の内側における中央部及び戸尻側の端部には、ガイドピン６２が突設されている。また、この支持枠６１の上面における戸先側の端部には、後記ステー６６の先端の出没孔（以下、「ステー出没孔６１ａ」という。）が形成されている。
【００４８】
可動枠６３は、略溝形形状（断面視）の長尺部材であり、支持枠６１にステー６６を介して支承されており、当該支持枠６１の開口している底部から出没自在となるように内装されている。この可動枠６３の中央部及び戸尻側の端部には、鉛直方向に長孔が形成されるように突設体６４が付設されている。そして、突設体６４に支持枠６１のガイドピン６２が挿設されており、当該ガイドピン６２に沿って、突設体６４が上下方向に昇降可能となっている。
【００４９】
ステー６６は、細長の板状体であり、戸先側には、上向に突出部６６ａが形成されている。可動枠６３は、戸尻側に設けられているステー６６の支持部６６ｃにおいて、当該ステー６６に取り付けられている。そして、略中央の支持部６６ｃが支持枠６１に揺動自在に軸支されており、当該支持部６６ｃを中心として、シーソー状の動きをすることにより、支持枠６１のステー出没孔６１ａから突出部６６ａが出没自在となっている。
【００５０】
また、ステー６６は、突出部６６ａが上記ステー出没孔６１ａから突出する向きに常時付勢されており、当該突出部６６ａが、上記ステー出没孔６１ａから突出している状態では、可動枠６３が降下している状態となっている（付勢部材は図示せず）。
【００５１】
（昇降機構）
シャッター装置Ｔを昇降させるための昇降機構５０は、上記スライドピース５１（図３）と、ロッド装置５５（ロッド部材）と、当該ロッド装置５５の移動をガイドするブラケット５２から構成されている（図５）。
【００５２】
ブラケット５２は、ガイドレールを兼用する細長の凹状である部材であり、引戸本体Ｈの内枠において、錠箱２０の位置から支持枠６１に至る鉛直方向にネジにより垂設されている。
【００５３】
ロッド装置５５は、ロッドバー５６と、当該ロッドバー５６の上下に一体的に設けられている、スライダガイド５７及びスライダエンド５８（ロッド部材の底面部）から形成されている。スライダガイド５７及びスライダエンド５８の背面は、上下方向にスライド自在となるように、ブラケット５２に取り付けられている。
【００５４】
スライダガイド５７は、コ字形状に形成されており、スライドピース５１の錠箱２０からの突出部と嵌合することにより、当該スライドピース５１の動作と連動して、ロッドバー５６が昇降自在となるように構成されている。
【００５５】
（２）本引戸及び本引戸施錠装置の使用方法
続いて、本引戸Ｄ及び本引戸施錠装置Ｓの使用方法について説明する。
【００５６】
（解放時）
まず、本引戸Ｄが解放されている状態では、トリガー３５の被操作板係合部３５ａと操作板３４の被トリガー係合部３４ａが係合している。そのため、操作板３４の鉛直部３４ｂが最上部に位置しており、第１リンク部材３２の後端部は、第１鉛直長孔２２ｆの最上部に位置するとともに、鎌部材３１の後端部（第１リンク部材３２の前端部）は、第１リンク横長孔２２ａの横方向部２２ｃの終端部に位置することになる。また、第２リンク部材３３の前端部及び操作板３４の鉛直部３４ａが最上部に位置することになる。そのため、当該第２リンク部材３３の後端部は、第２鉛直長孔２２ｇの最下部に位置することになり、それに伴い、スライドピース５１も最下部に位置することになる（図６（ａ））。
【００５７】
この状態では、鎌部材３１は、錠箱２０の内部に収納されている。
また、シャッター装置Ｔの昇降機構５０のスライダエンド５８の底面が、ステー６６の突出部６６ａと当接しており、当該ステー６６に作用している上向きの付勢力が減殺されている。そのため、可動枠６３は上昇しており、戸枠５の下枠５ｃと、引戸本体Ｈとの間に間隙部Ｅが形成されている（図８）。
【００５８】
（引戸の閉止時）
この状態で、本引戸Ｄの閉止動作を開始する。このとき、トリガー３５の先端部が、縦枠５ｂ（戸枠５）に当接すると、当該トリガー３５の先端部は、錠箱２０の内部に後退し、被操作板係合部３５ａと操作板３４の被トリガー係合部３４ａの係合が解除される（図６（ｂ））。すると、自重により操作板３４が下降し、それに伴い、第１リンク部材３２の後端部が降下する。そして、当該動作に連動して、鎌部材３１の後端部（第１リンク部材３２の前端部）は、第１リンク横長孔２２ａの前方に移動する。この動作に伴い、鎌部材３１のアーム部３１ａの先端が、フロント２５の鎌部材出没孔２５ａから突出し、支軸３１ｂを中心に時計回りに回転運動を開始する。
【００５９】
また、第２リンク部材３３の先端部は下方に移動し、当該動作に伴い、後端部及びスライドピース５１が上方に移動する（図７（ａ））。
【００６０】
その後、操作板３４の鉛直部３４ｂ及び第１リンク部材３２の前端部が最下部に移動し、鎌部材３１の後端部（第１リンク部材３２の前端部）は、第１リンク横長孔２２ａの最前部に当接する。この動作に伴い、鎌部材３１の先端部が、錠前受具Ｕのストライク係合部１１ａに係止され、施錠が完了する。この過程において、鎌部材３１の先端部が、ストライク係合部１１ａに係止される際に、支軸３１ｂを支点、鎌部材３１の後端部及び第１リンク部材３２の前端部の支承部を力点、当該鎌部材３１の先端部を作用点とした、いわゆる「テコの原理」により、錠箱２０を介して、引戸本体Ｈを戸枠５（縦枠５ｂ）側に引き寄せる動作を行うことになる。そのため、引戸本体Ｈと縦枠５ｂとの間隙をなくし、確実に閉戸することが可能となる（図７（ｂ））。
【００６１】
また、第２リンク部材３３は前端部が下方に移動し、当該動作に伴い、当該第２リンク部材３３の最後端部及びスライドピース５１が最上部にまで移動する。このとき、スライダエンド５８の底面と、ステー６６の突出部６６ａとの当接状態が解除されることになり、可動枠６３が下降する。そのため、この状態では、可動枠６３の気密材６５が下枠５ｃと密着し、間隙部Ｅを閉塞する（図９）。
【００６２】
（開扉時）
開扉をする場合には、操作部７１を操作し、操作板３４を上方に移動させることにより、当該操作板３４の鉛直部３４ｂ及び第１リンク部材３２の後端部を上方に移動させる。当該動作に連動して、鎌部材３１の後端部（第１リンク部材３２の前端部）は、第１リンク横長孔２２ａの後方に移動する。この動作に伴い、鎌部材３１は支軸３１ｂを中心に反時計回りに回転運動を開始し、その先端部が、錠箱２０のフロント２５の鎌部材出没孔２５ａから後退し、徐々に錠箱２０の内部に収納される。
【００６３】
そして、最終的に、操作板３４の鉛直部３４ｂが最上部に移動し、第１リンク部材３２の後端部が第１鉛直長孔２２ｆの最上部に移動する。そして、鎌部材３１の後端部は、第１リンク横長孔２２ａの終端部に当接し、第２リンク部材３３の先端部も操作板３４の第２鉛直長孔２２ｇの最上部に移動するとともに、当該第２リンク部材３３の後端部及びスライドピース５１が最下部に移動する。これに伴い、スライダエンド５８の底面が、ステー６６の突出部６６ａと当接して、可動枠６３が上昇し、下枠５ｃと、引戸本体Ｈとの間に間隙部Ｅが形成される。
【００６４】
（３）本引戸及び本引戸施錠装置の作用効果
本引戸施錠装置Ｓは、鎌部材３１と、第１リンク部材３２と、第２リンク部材３３と、上下方向に移動可能に構成されている操作板３４を基本的な構成部材としているため、簡易な構造で、小型化を実現することが可能となる。そのため、取り付けを行う引戸本体Ｈの厚さを薄くできることから、デザイン的に優れた構造とすることができる。
【００６５】
また、本引戸施錠装置Ｓにおいて、第１リンク横長孔２２ａは、ストライク係止部１１ａ側において下方向に傾斜している先端傾斜部２２ｂと、先端傾斜部２２ｂに接続する横方向部２２ｃから形成されており、鎌部材３１の後端部及び第１リンク部材３２のストライク係止部１１ａ側の端部が、当該第１リンク横長孔２２ａにおいて、連動してスライド自在となるように一体的に支承されている。
そのため、支承されている各部材の端部が、先端傾斜部２２ｂの先端部に移動する過程において、鎌部材３１が、錠箱２０から突出して、ストライク係止部１１ａに掛止するにあたり、当該錠箱２０方向に向かって回転運動することにより、本引戸施錠装置Ｓが取り付けられている引戸本体Ｈを戸枠５の縦枠５ｂに引き寄せる動作を行わせることが可能となる。よって、気密材６が設けられている引戸Ｄであっても、確実に施錠が可能となる。
【００６６】
また、錠箱２０の箱本体２１における側板２２Ａ，２２Ｂにおいて、第１リンク横長孔２２ａ、鎌部材案内長孔２２ｄ、操作板鉛直長孔２２ｅ、第１鉛直長孔２２ｆ、第２鉛直長孔２２ｇが形成されている。このように、鎌部材３１、第１リンク部材３２、第２リンク部材３３及び操作板３４に、長孔を設けていないことから、部材の形状の複雑化、大型化及び強度低下等を防止することが可能となる
【００６７】
さらに、本引戸Ｄは、引戸本体Ｈの下端部に気密材６５が設けられており、第２リンク部材３３を介して、操作板３４と連動するシャッター装置Ｔの昇降機構５０を備えていることから、操作性に優れた、操遮音、遮蔽等の性能を有する引戸を実現することが可能となる。
【００６８】
以上、本発明について、好適な実施形態についての一例を説明したが、本発明は当該実施形態に限られず、本発明の趣旨を逸脱しない範囲で、適宜設計変更が可能である。
【００６９】
第１リンク部材横方向案内長孔、鎌部材案内長孔、操作板鉛直長孔、第１リンク部材鉛直方向案内長孔、第２鉛直長孔に関し、それぞれ、側板に貫通して設ける長孔としたが、同様の形状で、側板に貫通させない態様で溝部を設ける構成とするものであってもよい。また、長孔及び長溝の形状、長さ、位置等に関しても、適宜定めることができる。
【００７０】
さらに、本引戸及び引戸施錠装置を構成する各部材についての仕様、材質、寸法、形状、取り付け位置等に関しては、基本的な構成を備えていれば、種々の構造を用いることができる。
【００７１】
また、第１リンク部材鉛直方向案内長孔は、必要に応じて設ければよく、第１リンク部材と操作板とをピン等により、連動してスライド自在となるように一体的に支承するものであってもよい。
【符号の説明】
【００７２】
Ｄ      引戸
Ｈ      引戸本体
Ｓ      引戸施錠装置
Ｊ      引戸用錠前
Ｕ      錠前受具
Ｔ      シャッター装置
５      戸枠
１１    ストライク
１１ａ  ストライク係止部
２０    錠箱（筐体）
２２    側板
２２ａ  第１リンク横長孔（第１リンク部材横方向案内長孔）
２２ｂ  先端傾斜部
２２ｃ  横方向部
２２ｄ  鎌部材案内長孔
２２ｅ  操作板鉛直長孔
２２ｆ  第１鉛直長孔（第１リンク部材鉛直方向案内長孔）
２２ｇ  第２鉛直長孔
３１    鎌部材
３１ａ  アーム部
３２    第１リンク部材
３３    第２リンク部材
３４    操作板（操作部材）
３５    トリガー
５０    昇降機構
５１    スライドピース
５５    ロッド装置（ロッド部材）
５６    ロッドバー
５８    スライダエンド（ロッド部材の底面部）
６１    支持枠
６３    可動枠
６５    気密材（閉塞部材）
６６    ステー
【図１】
2020056187.tif 000003
【図２】
2020056187.tif 000004
【図３】
2020056187.tif 000005
【図４】
2020056187.tif 000006
【図５】
2020056187.tif 000007
【図６】
2020056187.tif 000008
【図７】
2020056187.tif 000009
【図８】
2020056187.tif 000010
【図９】
2020056187.tif 000011